(57)【要約】
【課題】簡単な構造で効果的にプラグを保護しつつ、使用上の便利性を高めるべく、ユニバーサルシリアルバスを備える携帯型ストレージ装置を提供する。
【解決手段】主に開口１４を具有するケース１、並びに該開口１４より出入りするプラグ２１及び回路板２２とを具有し且つ該ケース１内に設置される本体２と、該本体２と係合し且つ該ケース１外に露出するプッシュブロック３と、より構成し、該プッシュブロック３を押して移動させることで、該プラグ２１を連動させて該ケース１に出入りさせる。
【選択図】    図４
0003101291.tif 000002
【実用新案登録請求の範囲】
【請求項１】
ケースと、本体と、プッシュブロックと、より構成されるユニバーサルシリアルバスを備える携帯型ストレージ装置において、
開口を具有する該ケースと、
該ケース内に設けられ、該開口内外に出入りするプラグ、並びに回路板を具有する本体と、
該プラグを該ケース内外に出入りさせるべく設けられた該プッシュブロックと、
を具有し、該プッシュブロックの移動によって、該プラグを連動させて該ケース内外に出入りさせることを特徴とするユニバーサルシリアルバスを備える携帯型ストレージ装置。
【請求項２】
該プッシュブロックには延伸部が形成されており、該延伸部は該ケースの中空部より該ケース内に進入し、且つ該延伸部は該本体と係合されていることを特徴とする請求項１記載のユニバーサルシリアルバスを備える携帯型ストレージ装置。
【請求項３】
該プッシュブロックの延伸部には孔が設けられており、該孔は該本体と係合していることを特徴とする請求項２記載のユニバーサルシリアルバスを備える携帯型ストレージ装置。
【請求項４】
該本体の回路板は、該延伸部の孔内に進入するのに相応しい形状の電子パーツを具有することを特徴とする請求項３記載のユニバーサルシリアルバスを備える携帯型ストレージ装置。
【請求項５】
該ケースの中空部には溝が設けられており、該プッシュブロックが該溝で滑動することを特徴とする請求項２記載のユニバーサルシリアルバスを備える携帯型ストレージ装置。
【請求項６】
該プッシュブロックの延伸部は凸耳が設けられており、該凸耳は該ケースの両側の溝に対応していることを特徴とする請求項２記載のユニバーサルシリアルバスを備える携帯型ストレージ装置。
【請求項７】
該プッシュブロックは該回路板より突出しており、且つ該プッシュブロックは該ケースの中空部外に露出していることを特徴とする請求項１記載のユニバーサルシリアルバスを備える携帯型ストレージ装置。
【請求項８】
該ケースは相対する上殻と下殻より構成されることを特徴とする請求項１記載のユニバーサルシリアルバスを備える携帯型ストレージ装置。
【請求項９】
該ケースには挟持具を具有することを特徴とする請求項１記載のユニバーサルシリアルバスを備える携帯型ストレージ装置。
【考案の詳細な説明】
【技術分野】
【０００１】
本考案はユニバーサルシリアルバス（Universal serial bus、通称USB）を備える携帯型ストレージ装置に係り、特にプラグがケース内外に伸縮することで、形態に便利なストレージ装置に関わる。
【背景技術】
【０００２】
図１に示すように、公知における携帯型ストレージ装置においては、ケース５、該ケース５より突出するUSBプラグ６及び該プラグ６をカバーして該ケース５と嵌合されるカバー５１が設けられており、該プラグ６においては、ユニバーサルシリアルバス（Universal serial bus、通称USB）タイプのものとなっている。
該カバー５内部には回路が設けられており、該回路にはデータのストレージやコンピュータへの伝送機能が備えられており、該プラグ６と電気的に連結され、使用者が該カバー５１を外すことで、該プラグ６を露出させると直接コンピュータのUSBコネクタに連結される。概説式のハードディスクドライバなどのように、伝送やデータのストレージが行え、且つ携帯に便利なことなどから非常に便利性が高いものとして使用されている。
【特許文献１】特開２００３−１５０５３１号公報
【考案の開示】
【考案が解決しようとする課題】
【０００３】
しかし上述のような公知におけるストレージ装置においても、以下のような欠点がある。
例えばプラグがケースと一体になっていることより、カバーをケースに嵌めようとする際、不注意でケースによってプラグが傷ついたりすることがあり、これが原因となりプラグが変形してしまって使用不能となることもある。また使用の際にはカバーをケースから取り外さねばならないが、こうすることではカバーを遺失しやすく、カバーをなくしてしまえば、プラグを保護することができなくなる。
そこで上述の欠点に鑑み、簡単な構造で効果的にプラグを保護しつつ、使用上の便利性を高めるべく、本考案のユニバーサルシリアルバスを備える携帯型ストレージ装置を提供する。
【課題を解決するための手段】
【０００４】
主に開口を具有するケース、並びに該開口より出入りするプラグと回路板とを具有し且つ該ケース内に設置される本体と、該本体と係合しており且つ該ケース外に露出するプッシュブロックと、より構成し、該プッシュブロックを押して移動させることで、該プラグを連動させて該ケースに出入りさせる。
【０００５】
すなわち、本考案のユニバーサルシリアルバスを備える携帯型ストレージ装置は、以下に述べる特徴を有する。
１．本考案のユニバーサルシリアルバスを備える携帯型ストレージ装置は、ケースと、本体と、プッシュブロックと、より構成されるユニバーサルシリアルバスを備える携帯型ストレージ装置において、開口を具有する該ケースと、該ケース内に設けられ、該開口内外に出入りするプラグ、並びに回路板を具有する本体と、該プラグを該ケース内外に出入りさせるべく設けられた該プッシュブロックと、を具有し、該プッシュブロックの移動によって、該プラグを連動させて該ケース内外に出入りさせることを特徴とする。
２．該プッシュブロックには延伸部が形成されており、該延伸部は該ケースの中空部より該ケース内に進入し、且つ該延伸部は該本体と係合されていることを特徴とする。
３．該プッシュブロックの延伸部には孔が設けられており、該孔は該本体と係合していることを特徴とする。
４．該本体の回路板は、該延伸部の孔内に進入するのに相応しい形状の電子パーツを具有することを特徴とする。
５．該ケースの中空部には溝が設けられており、該プッシュブロックが該溝で滑動することを特徴とする。
６．該プッシュブロックの延伸部は凸耳が設けられており、該凸耳は該ケースの両側の溝に対応していることを特徴とする。
７．該プッシュブロックは該回路板より突出しており、且つ該プッシュブロックは該ケースの中空部外に露出していることを特徴とする。
８．該ケースは相対する上殻と下殻より構成されることを特徴とする。
９．該ケースには挟持具を具有することを特徴とする。
【考案の効果】
【０００６】
本考案によれば、プラグがケースの開口個所にて出入りすることにより、使用しない際には内部に収容してプラグが効果的に保護され、使用する際には直接押し出すことで即使用できるようになっており、構造を簡単にしつつ、使用を更に便利にする目的が達成される。
【考案を実施するための最良の形態】
【０００７】
図２から図６の各図に示すように、本考案は主にケース１と本体２と、プッシュブロック３とより構成される。
【０００８】
先ず図２，３に示すように、該ケース１は相対するべく設計された上殻１１，下殻１２より構成され、該上下両殻１１，１２には空洞を呈した収容室１３が設けられており、該収容室１３の一端は該ケース１にて開口１４を形成している。該上殻１１は中空部１１１が設けられており、該中空部１１１個所には該中空部１１１にまで範囲が及んでいるパイロット溝１１２が更に設けられている。該下殻１２内の相対する両壁面には対称を成した溝１２１が設けられており、該下殻１２の底部には挟持具１２２が設置される。
【０００９】
該本体２においては、プラグ２１及び回路板２２が設けられており、該プラグ２１はユニバーサルシリアルバスタイプのヘッドであり、該回路板２２には、必ず必要となる電子パーツ２２１がやや突出した状態で設けられている。
【００１０】
該プッシュブロック３においては、延伸部３１が設けられていることにより、該延伸部３１と該プッシュブロック３との間に高低の落差が生じており、且つ該延伸部３１には孔３１１が設けられており、更に該延伸部３１の底部四隅より下に向かって凸耳３１２が延伸している。
【００１１】
図３から図６に示すように、該本体２は該ケース１の収容室１３内に設置されており、該収容室１３によって滑動するようになっている。該プッシュブロック３の孔３１１は該回路板の電子パーツ２２１に嵌設されるのに適した形状を呈しており、且つ該プッシュブロック３の凸耳３１２はちょうど該下殻の溝１２１に位置することで、各溝１２１にて該プッシュブロック３が導引され、該ケース１の収容室１３内にて往復して移動できるようになっている。該プッシュブロックの延伸部３１は該上殻１１の中空部１１１によって該ケースの収容室１３内に進入し、該プッシュブロック３のその他のやや突起した後段の部分が、ちょうど該上殻の溝１１２内に設置され、該溝１１２の導引によって該プッシュブロックが往復して移動できるようになっており、相対してその前段部分の延伸部３１は、該収容室１３にて往復して移動できるようになっている。
【００１２】
また該本体２においては、該収容室１３内にて自由に滑動し、該プッシュブロック３は該ケースの溝１１２にて往復して滑動できるようになっており、且つ該プッシュブロックの延伸部３１は該本体２と係合される。該本体２の電子パーツ２２１は該延伸部の孔３１１内に進入していることため該プッシュブロック３を押して移動させることにより、該本体２が押されて移動し、更に該本体２のプラグ２１はこれらの作用によって押されて移動して該ケース１の開口１４外へ突出する。このとき本考案のストレージ装置のプラグ２１はコンピュータのユニバーサルシリアルバスコネクタに連結され、データを保存あるいは伝送することができる状態となる。また使用しないときは、上述とは逆の方向に該プッシュブロック３を押すことで、つまり該本体２が上述とは逆の方向に押され、該本体２のプラグ２１が該ケース１外より該収容室１３内に戻され、よって使用しない際には完全に保護された状態となり、公知のような保護用カバーをなくす心配がなくなる。
【００１３】
図７に示すように、本考案のもう一つの実施例としては、ケース１とプラグ２１と回路板２２と本体２及びプッシュブロック４を含む。また該本体２は該ケース１内にて自由に滑動できるものとし、且つ該本体の回路板２２の片側（図中なし）は該プッシュブロック４より突出しており、該プッシュブロック４は該ケース１の相対する個所に設けられた中空部１５より露出する。これを人の手によって該プッシュブロック４を動かすことにより、該本体２を伴って該ケース１内にて滑動するようにする。相対して該プラグ２１は該ケース１から出たり、該ケース１内に戻ったりするようになる。
【００１４】
本考案によると、プラグがケースの開口個所にて出入りすることにより、使用しない際には内部に収容してプラグが効果的に保護され、使用する際には直接押し出すことで即使用できるようになっており、構造を簡単にしつつ、使用を更に便利にする目的が達成された。
【図面の簡単な説明】
【００１５】
【図１】公知の構造における立体説明図である。
【図２】本考案における立体分解図である。
【図３】本考案における組み立て後の立体図である。
【図４】本考案において上殻をはずした後の動作説明図（１）である。
【図５】本考案において上殻をはずした後の動作説明図（２）である。
【図６】本考案における側面断面図である。
【図７】本考案におけるもう一つの実施例の俯瞰断面図である。
【符号の説明】
【００１６】
１  ケース
１１  上殻
１１１  中空部
１１２  パイロット溝
１２  下殻
１２１  溝
１２２  挟持具
１３  収容室
１４  開口
１５  中空部
２  本体
２１  プラグ
２２  回路板
２２１  電子パーツ
３  プッシュブロック
３１  延伸部
３１１  孔
３１２  凸耳
４  プッシュブロック
５  ケース
５１  カバー
６  プラグ
【図１】
0003101291.tif 000003
【図２】
0003101291.tif 000004
【図３】
0003101291.tif 000005
【図４】
0003101291.tif 000006
【図５】
0003101291.tif 000007
【図６】
0003101291.tif 000008
【図７】
0003101291.tif 000009